(57)【要約】【課題】例えば、集合住宅に招待したゲストに一時的なコピー電子鍵情報を供与する場合において、供与者は、供与したコピー電子鍵情報を招待者がどのように使用したか把握したい、という要請があった。【解決手段】電子鍵管理装置であって、電子錠装置を解錠する権限が対応付けられたオリジナル電子鍵情報に基づいて少なくとも権限の一部が対応付けられたコピー電子鍵情報の利用履歴を格納する格納部と、前記オリジナル電子鍵情報に対応付けられた権限に基づく閲覧要求に応じて、前記利用履歴を前記閲覧要求の発信端末へ送信する送信部とを備える。【選択図】図３
2016191281.tif 000002
【特許請求の範囲】
【請求項１】
電子錠装置を解錠する権限が対応付けられたオリジナル電子鍵情報に基づいて少なくとも権限の一部が対応付けられたコピー電子鍵情報の利用履歴を格納する格納部と、
前記オリジナル電子鍵情報に対応付けられた権限に基づく閲覧要求に応じて、前記利用履歴を前記閲覧要求の発信端末へ送信する送信部と
を備える電子鍵管理装置。
【請求項２】
前記コピー電子鍵情報によって解錠できる前記電子錠装置の解錠権限は、前記オリジナル電子鍵情報によって解錠できる前記電子錠装置の解錠権限よりも制限される請求項１に記載の電子鍵管理装置。
【請求項３】
前記コピー電子鍵情報によって解錠できる前記電子錠装置の解錠権限は、第１権限と第２権限を含み、
前記送信部は、前記コピー電子鍵情報による前記第１権限の範囲における利用では前記発信端末に利用通知を送信しないが、前記第２権限の範囲における利用では前記発信端末に利用通知を送信する請求項１または２に記載の電子鍵管理装置。
【請求項４】
前記送信部は、前記閲覧要求の有無に関わらず、前記第２権限の範囲における利用の前記利用通知を送信する請求項３に記載の電子鍵管理装置。
【請求項５】
前記コピー電子鍵情報によって解錠できる前記電子錠装置の解錠権限は、第１権限と第２権限を含み、
前記格納部は、前記コピー電子鍵情報による前記第１権限の範囲における利用では前記利用履歴に記録しないが、前記第２権限の範囲における利用では前記利用履歴に記録して格納する請求項１から４のいずれか１項に記載の電子鍵管理装置。
【請求項６】
前記利用履歴は、前記コピー電子鍵情報を利用して進入した区域、進入時刻および退出時刻を含む請求項１から５のいずれか１項に記載の電子鍵管理装置。
【請求項７】
前記送信部は、前記コピー電子鍵情報による予め指定された利用があった場合に、前記発信端末に利用通知を送信する請求項１から６のいずれか１項に記載の電子鍵管理装置。
【請求項８】
電子錠装置を解錠する権限が対応付けられたオリジナル電子鍵情報に基づいて少なくとも権限の一部が対応付けられたコピー電子鍵情報の利用履歴を格納する格納ステップと、
前記オリジナル電子鍵情報に対応付けられた権限に基づく閲覧要求に応じて、前記利用履歴を前記閲覧要求の発信端末へ送信する送信ステップと
をコンピュータに実行させる電子鍵管理プログラム。
【請求項９】
電子錠装置を解錠する権限が対応付けられたオリジナル電子鍵情報に基づいて少なくとも権限の一部が対応付けられたコピー電子鍵情報を記憶部に記憶する記憶ステップと、
前記コピー電子鍵情報を利用して前記電子錠装置を解錠する解錠ステップと、
前記解錠ステップによる解錠を利用履歴として格納する格納ステップと、
前記オリジナル電子鍵情報に対応付けられた権限に基づく閲覧要求に応じて、前記利用履歴を前記閲覧要求の発信端末へ送信する送信ステップと
をコンピュータに実行させる携帯無線端末装置の制御プログラム。
【請求項１０】
電子錠装置を解錠する権限が対応付けられたオリジナル電子鍵情報に基づいて少なくとも権限の一部が対応付けられたコピー電子鍵情報を有する電子鍵携帯端末と、
前記電子鍵携帯端末から前記コピー電子鍵情報の利用履歴を取得して格納する電子鍵管理装置と、
前記オリジナル電子鍵情報に対応付けられた権限に基づいて前記利用履歴の閲覧要求を発信する発信端末と
を備え、
前記電子鍵管理装置は、前記閲覧要求を受信した場合に、前記利用履歴を前記発信端末へ送信する電子鍵管理システム。
【発明の詳細な説明】
【技術分野】
【０００１】
本発明は、電子鍵管理装置、電子鍵管理プログラム、携帯無線端末装置の制御プログラムおよび電子鍵管理システムに関する。
【背景技術】
【０００２】
電子鍵の合鍵を作成する場合において、解錠できる時間を制限した合鍵を製造できる電子ドアロックシステムが知られている（例えば、特許文献１参照）。
【先行技術文献】
【特許文献】
【０００３】
【特許文献１】特開２００７−３０９０１５
【発明の概要】
【発明が解決しようとする課題】
【０００４】
例えば、集合住宅に招待したゲストに一時的なコピー電子鍵情報を供与する場合において、供与者は、供与したコピー電子鍵情報をゲストがどのように使用したか把握したい、という要請があった。
【課題を解決するための手段】
【０００５】
本発明の第１の態様における電子鍵管理装置は、電子錠装置を解錠する権限が対応付けられたオリジナル電子鍵情報に基づいて少なくとも権限の一部が対応付けられたコピー電子鍵情報の利用履歴を格納する格納部と、前記オリジナル電子鍵情報に対応付けられた権限に基づく閲覧要求に応じて、前記利用履歴を前記閲覧要求の発信端末へ送信する送信部とを備える。
【０００６】
本発明の第２の態様における電子鍵管理プログラムは、電子錠装置を解錠する権限が対応付けられたオリジナル電子鍵情報に基づいて少なくとも権限の一部が対応付けられたコピー電子鍵情報の利用履歴を格納する格納ステップと、前記オリジナル電子鍵情報に対応付けられた権限に基づく閲覧要求に応じて、前記利用履歴を前記閲覧要求の発信端末へ送信する送信ステップとをコンピュータに実行させる。
【０００７】
本発明の第３の態様における携帯無線端末装置の制御プログラムは、電子錠装置を解錠する権限が対応付けられたオリジナル電子鍵情報に基づいて少なくとも権限の一部が対応付けられたコピー電子鍵情報を記憶部に記憶する記憶ステップと、前記コピー電子鍵情報を利用して前記電子錠装置を解錠する解錠ステップと、前記解錠ステップによる解錠を利用履歴として格納する格納ステップと、前記オリジナル電子鍵情報に対応付けられた権限に基づく閲覧要求に応じて、前記利用履歴を前記閲覧要求の発信端末へ送信する送信ステップと、をコンピュータに実行させる。
【０００８】
本発明の第４の態様における電子鍵管理システムは、電子錠装置を解錠する権限が対応付けられたオリジナル電子鍵情報に基づいて少なくとも権限の一部が対応付けられたコピー電子鍵情報を有する電子鍵携帯端末と、前記電子鍵携帯端末から前記コピー電子鍵情報の利用履歴を取得して格納する電子鍵管理装置と、前記オリジナル電子鍵情報に対応付けられた権限に基づいて前記利用履歴の閲覧要求を発信する発信端末とを備え、前記電子鍵管理装置は、前記閲覧要求を受信した場合に、前記利用履歴を前記発信端末へ送信する。
【０００９】
なお、上記の発明の概要は、本発明の特徴の全てを列挙したものではない。また、これらの特徴群のサブコンビネーションもまた、発明となりうる。
【図面の簡単な説明】
【００１０】
【図１】本実施形態に係る電子鍵管理システム１０の一例を示す概略図である。
【図２】電子鍵管理システム１０が適用された集合住宅３０の概略図を示す。
【図３】電子鍵管理システム１０の機能ブロック図を示す。
【図４】電子鍵データベース１１０の一例を示す。
【図５】履歴データベース１１２の一例を示す。
【図６】住居者データベース１１４の一例を示す。
【図７】電子鍵申請データ１４２により構成される申請表示画面１４４の一例を示す。
【図８】履歴表示画面１４６の一例を示す。
【図９】管理サーバ１２が履歴情報を記録する処理と、記録された履歴情報を送信する処理を説明するフロー図である。
【図１０】他の電子鍵管理システム２００を示す概略図である。
【図１１】スマートフォン２０２に履歴情報を記録する処理と履歴情報を送信する処理を説明するフロー図である。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、本実施形態に係る電子鍵管理システム１０の一例を示す概略図である。電子鍵管理システム１０は、例えば、マンションなどの集合住宅に設けられた複数のゲート１４に設けられた電子錠の施解錠を管理する。電子鍵管理システム１０は、管理サーバ１２と、複数のゲート１４と、スマートフォン２０とから構成される。
【００１３】
管理サーバ１２は、例えば、電子鍵管理システム１０を管理・運用する集合住宅内の管理室に設けられる。管理サーバ１２は、複数のゲート１４にネットワークを介してそれぞれ接続している。複数のゲート１４は、それぞれ電子錠装置１６と入力装置１８とを備える。スマートフォン２０は、集合住宅の住居者または住居者に招待されたゲストに所有される。
【００１４】
スマートフォン２０には、電子鍵管理システム１０と連携して使用される制御アプリがインストールされている。スマートフォン２０には、さらに、各ゲート１４を解錠できる暗号化された電子鍵情報が格納されている。住居者およびゲストは、通過したいゲート１４に近づいたら、インストールされている制御アプリを利用して、当該ゲート１４を解錠する。より具体的には、制御アプリから送信された電子鍵情報は入力装置１８で受信されて管理サーバ１２へ送られ、管理サーバ１２は当該電子鍵情報の解錠権限を確認して電子錠装置１６を解錠する。この一連の処理によりゲート１４は通過可能となるが、以下においては単に「ゲート１４を解錠する」などと称する場合がある。
【００１５】
図２は、電子鍵管理システム１０が適用された集合住宅３０の概略図を示す。集合住宅３０は、例えば、エントランス３２と、談話室３４と、トランクルーム３６と、３つの居室３８、４０、４２と、通路４４と、管理室４６が設けられている。ここで、エントランス３２、談話室３４、トランクルーム３６および通路４４は共用設備であり、集合住宅３０の住居者であればだれでも使用できる。一方、居室３８、４０および４２は個人設備であり、それぞれの居室に居住する住居者だけが使用を許される。
【００１６】
エントランス３２には、エントランスゲート５０が設けられている。談話室３４の入り口には、談話室ゲート５２が設けられており、トランクルーム３６の入り口には、トランクゲート５４が設けられている。
【００１７】
居室３８の玄関には居室ゲート５６が設けられている。居室４０の玄関には居室ゲート５８、居室４２の玄関には居室ゲート６０がそれぞれ設けられている。また、通路４４であって、談話室ゲート５２とトランクゲート５４との間には、通路ゲート６４が設けられている。管理室４６には、ゲートが設けられておらず、集合住宅３０の管理人が常駐している。管理室４６には、管理サーバ１２が設けられている。
【００１８】
図２に示した例において、住居者７０は、居室３８に居住する住居者である。スマートフォン７２は、住居者７０が所有するスマートフォンである。また、ゲスト８０は、住居者７０が招待したゲストである。スマートフォン８２は、ゲスト８０が所有するスマートフォンである。なお、以後の説明において、エントランスゲート５０、談話室ゲート５２、トランクゲート５４、居室ゲート５６、５８、６０および通路ゲート６４をまとめてエントランスゲート５０等と称する場合がある。
【００１９】
エントランスゲート５０等は、図１におけるゲート１４に対応し、これらエントランスゲート５０等には、それぞれ電子錠装置１６と入力装置１８とが設けられている。また、スマートフォン７２および８２は、図１におけるスマートフォン２０に対応する。
【００２０】
エントランスゲート５０等は、常時施錠されている。住居者７０はスマートフォン７２を用いて、入力装置１８から電子鍵情報を送信することによって各ゲートを解錠できる。同じくゲスト８０も、スマートフォン８２を用いて、入力装置１８から電子鍵情報を送信することによって各ゲートを解錠できる。
【００２１】
住居者７０は、集合住宅３０へ入居する契約を締結すると、共用設備であるエントランス３２、談話室３４、トランクルーム３６および通路４４に設けられている各ゲートの解錠権限と、住居者７０が居住する居室３８に設けられている居室ゲート５６の解錠権限を有するオリジナル電子鍵情報が付与される。住居者７０は、付与されたオリジナル電子鍵情報を所有するスマートフォン７２に記憶させる。住居者７０は、当該スマートフォン７２を用いて、記憶させたオリジナル電子鍵情報が解錠権限を有する各ゲートを解錠できる。
【００２２】
ゲスト８０が所有するスマートフォン８２に記録されている電子鍵情報は、住居者７０が有する電子錠装置１６を解錠する権限が対応付けられたオリジナル電子鍵情報を用いて、少なくともオリジナル電子情報が有する権限の一部が対応付けられたコピー電子鍵情報である。住居者７０は、住居者７０が招待したゲスト８０に、住居者７０が有する電子鍵情報を用いてその権限の一部が対応付けられたコピー電子鍵情報を供与できる。ゲスト８０は、コピー電子鍵情報を用いて、当該コピー電子鍵情報が解錠権限を有する各ゲートを解錠できる。
【００２３】
住居者７０は、コピー電子鍵情報の解錠権限を制限することができる。例えば、住居者７０は、コピー電子鍵情報に、エントランスゲート５０および談話室ゲート５２の解錠権限を設定するが、トランクゲート５４、居室ゲート５６、５８、６０および通路ゲート６４の解錠権限を設定しない、とすることができる。
【００２４】
また、住居者７０は、コピー電子鍵情報の解錠権限の制限として、解錠時間を制限することもできる。例えば、住居者７０は、エントランスゲート５０に解錠権限を設定した場合に、解錠できる時間を２０１５年３月２５日の１０：００：００から２０１５年３月２５日の１７：００：００までと設定できる。このように解錠時間を制限された場合において、ゲスト８０は、エントランスゲート５０の当該コピー電子鍵情報を用いて２０１５年３月２５日１０：００：００より前の時間および、２０１５年３月２５日１７：００：００より後の時間にエントランスゲート５０を解錠することができない。また、日時を設定した場合において、コピー電子錠情報を利用して解錠したことを、オリジナル電子鍵情報を有する住居者に通知させるように設定できる。
【００２５】
また、住居者７０は、各ゲート１４の解錠権限を複数に分けて設定することもできる。例えば、第１権限として、エントランスゲート５０と談話室ゲート５２の解錠権限を設定し、第２権限として、通路ゲート６４の解錠権限を設定できる。そして、ゲストが第２権限として設定された通路ゲート６４を解錠した場合に、第２権限を利用して解錠したことを住居者に通知させるように設定できる。
【００２６】
また、住居者７０は、コピー電子鍵情報の利用履歴を閲覧できる。例えば、住居者７０がコピー電子鍵情報をゲスト８０に供与した場合に、住居者７０は、ゲスト８０がコピー電子鍵情報を用いて解錠したゲート種類および時間を記録した利用履歴情報を閲覧できる。
【００２７】
本実施形態に係る電子鍵管理システム１０は、上述したように、住居者７０が有するオリジナル電子鍵情報を用いて、コピー電子鍵情報を複製することを許容する。そして、電子鍵管理システム１０は、複製されたコピー電子鍵情報の解錠権限を制限するとともに、コピー電子鍵情報を利用した利用履歴を、オリジナル電子鍵情報の解錠権限を有する者が閲覧できるようにするシステムである。以下電子鍵管理システム１０について詳細に説明する。
【００２８】
図３は、電子鍵管理システム１０の機能ブロック図を示す。電子鍵管理システム１０は、インターネット９０を利用して、管理サーバ１２と、複数のゲート１４と、住居者７０が所持するスマートフォン７２と、ゲスト８０が所持するスマートフォン８２とを含んで構成される。
【００２９】
管理サーバ１２は、制御部１０２と、格納部１０４と、送受信部１０６と、ネットワーク接続部１０８とを備える。また、ハードディスクドライブ等の不揮発性メモリによって構成される格納部１０４には、電子鍵データベース１１０と、履歴データベース１１２と、住居者データベース１１４とが格納されている。
【００３０】
図４は、電子鍵データベース１１０の一例を示す。電子鍵データベース１１０には、ゲート番号が記録されるゲート番号欄と、電子鍵情報が記録される電子鍵情報欄と、ゲート番号欄に記録されたゲートを解錠する解錠権限が与えられているかを示す記号欄が設けられている。ゲート番号欄は、電子鍵データベース１１０の左端の列に設けられており、ゲート番号が記録される。本実施形態では、ゲート番号として、図２を用いて説明した各ゲートに対応する参照番号「５０」「５２」「５４」「５６」「５８」「６０」「６２」の６種類の数字が記録されている。
【００３１】
電子鍵情報欄は、電子鍵データベース１１０の上端の行に設けられており、電子鍵情報が記録される。電子鍵情報は、暗号化された電子鍵部と、電子鍵の属性を示す属性部とから構成される。
【００３２】
図４に示した例において、電子鍵情報は、例えば、電子鍵部「○○○○○」と、属性部「Ａ０００」とから構成される。ここで、属性部「Ａ０００」の「Ａ」は、オリジナル電子鍵の所有者が住居者７０であることを示す。また、属性部「Ａ０００」の「０００」は、オリジナル電子鍵情報であることを示し、「００１」はコピー電子鍵情報であることを示す。つまり、「○○○○○Ａ０００」は、住居者７０のオリジナル電子鍵情報であることを示し、「○○○○○Ａ００１」は、住居者７０のオリジナル電子鍵情報を用いて複製された１番目のコピー電子鍵情報であることを示す。コピー電子鍵情報は、複数作成することも可能である。その場合、属性部の右端の数字は、「Ａ００２」「Ａ００３」のように増加する。
【００３３】
開錠する開錠権限が与えられているかを示す記号欄には、「０」、「１」または「２」の数字が記録される。数字「０」は、上端に記録されている電子鍵情報には、左端に記録されているゲート番号のゲートを解錠する解錠権限が与えられていないことを示す。数字「１」は、第１権限として、上端に記録されている電子鍵情報に、当該ゲート番号のゲートを解錠する解錠権限が与えられていることを示す。また、数字「２」は、第２権限として、当該電子鍵情報に、当該ゲート番号のゲートを解錠する解錠権限が与えられていることを示す。
【００３４】
すなわち、図４に示した例において、オリジナル電子鍵情報「○○○○○Ａ０００」は、第１権限として、エントランスゲート５０、談話室ゲート５２、トランクゲート５４、居室ゲート５６、通路ゲート６４の解錠権限を有するが、その他のゲートを解錠する解錠権限は有していないことを表している。一方、コピー電子鍵情報「○○○○○Ａ００１」は、第１権限として、エントランスゲート５０と、談話室ゲート５２の解錠権限を有し、第２権限として、通路ゲート６４の解錠権限を有するが、その他のゲートの解錠権限は有さないことを表している。
【００３５】
電子鍵データベース１１０は、１つのオリジナル電子鍵情報に対して１つ作成される。オリジナル電子鍵情報は、ユーザである住居者によっては生成されず、管理者が管理サーバ１２に登録することによって生成される。管理サーバ１２は、オリジナル電子鍵情報を生成するごとに、そのオリジナル電子鍵情報用の電子鍵データベース１１０を作成する。管理サーバ１２は、住居者が自身のオリジナル電子鍵情報を複製してコピー電子鍵情報を生成するごとに、管理サーバ１２は、生成されたコピー電子鍵情報の記述欄を追加する。
【００３６】
図５は、履歴データベース１１２の一例を示す。履歴データベース１１２には、電子鍵情報欄と、ゲート番号欄と、時間欄とが設けられている。履歴データベース１１２には、電子鍵情報と、電子鍵情報を用いて解錠されたゲート番号と、当該ゲート番号に対応したゲートが解錠された時間とが同じ行に記録される。電子鍵情報を有する者が、解錠したゲートと解錠した時間の履歴が履歴データベースに記録される。
【００３７】
本実施形態において、電子鍵データベース１１０と履歴データベース１１２とをそれぞれ別のデータベースとして設けている。一方、履歴データベース１１２には、管理サーバ１２が管理する複数のオリジナル電子鍵情報および複数のコピー電子鍵情報の利用履歴がひとまとめに記録されている。図示するように、オリジナル電子鍵情報である「○○○○○Ａ０００」も、これから複製されたコピー電子鍵情報である「○○○○○Ａ００１」も、さらに別のオリジナル電子鍵情報である「○○○○○Ｂ００」も、これから複製されたコピー電子鍵情報である「○○○○○Ｂ００１」も、それぞれの利用履歴はひとつの履歴データベース１１２によって管理されている。このようなデータベースの構造により、管理サーバ１２は、ゲートが解錠される毎に、履歴データベース１１２の下欄に行を追加して、追加した行に、使用された電子鍵情報と、解錠されたゲートと、解錠された時間とを記録する、という単純な処理の繰り返しにより、解錠履歴を記録できる。
【００３８】
図６は、住居者データベース１１４の一例を示す。住居者データベース１１４には、電子鍵情報欄と、電子鍵情報を有する住居者のメールアドレスが記録されている。電子鍵情報欄には、集合住宅３０の住居者が有するオリジナル電子鍵情報が記録され、コピー電子鍵情報は記録されない。メールアドレス欄には、電子鍵情報欄に記録された電子鍵情報を有する住居者のメールアドレスが記録されている。管理サーバ１２は、例えば、コピー電子鍵情報を用いて解錠した解錠権限が第２権限であった場合に、住居者データベース１１４を参照して、当該コピー電子鍵情報を複製したオリジナル電子鍵情報を有する住居者にメールを送信する。これによって、住居者は、自身が供与したコピー電子鍵情報を用いて第２権限の使用がなされたことを知ることができる。例えば、ゲストが許可されていないトランクゲート５４、居室ゲート５６に近づいていることを、当該コピー電子鍵情報を供与した住居者は事前に知ることができる。
【００３９】
再び、図３を参照して説明する。ゲート１４は、電子錠装置１６と、入力装置１８とを備える。電子錠装置１６は、駆動部１２０と、ロック部１２２とを備える。また、入力装置１８は、送受信部１２４から構成される。
【００４０】
住居者７０が所有するスマートフォン７２は、ネットワーク接続部１３０と、制御部１３２と、格納部１３４と、送信部１３６と、表示部１３８とを備える。不揮発性メモリによって構成される格納部１３４には、住居者７０が有するオリジナル電子鍵情報１４０と、電子鍵申請データ１４２とが格納されている。
【００４１】
図７は、コピー電子鍵情報の申請に用いる電子鍵申請データ１４２により構成される申請表示画面１４４の一例を示す。住居者７０は、コピー電子鍵を申請する場合に、スマートフォンにインストールされた制御アプリの処理に従い、電子鍵申請データ１４２を表示部１３８に表示させる。申請表示画面１４４には、ゲート番号と申請者の電子鍵情報が予め記録されている。また、申請表示画面１４４には、当該ゲート番号に対する解錠権限を設定する解錠権限欄と、解錠を許可する時間の範囲を設定する解錠時間欄とが設けられている。
【００４２】
図７に示した例において、電子鍵データベース１１０と同様に、解錠権限欄の数字「０」は、住居者７０は、記録されたゲート番号に対応するゲートの解錠権限をコピー電子鍵情報に与えないことを表している。解錠権限欄の数字「１」は、ゲート番号に対応するゲートに対して、第１権限としての解錠権限を与えることを表している。また、解錠権限欄の数字「２」は、ゲート番号に対応するゲートに対して、第２権限としての解錠権限を与えることを表している。このように、住居者７０は、解錠権限欄に数字「０」、「１」、「２」を設定することで、コピー電子鍵情報に与える解錠権限を任意に選択できる。
【００４３】
図７に示した例では、エントランスゲート５０および談話室ゲート５２には、第１権限としての解錠権限を設定している。トランクゲート５４および通路ゲート６４には第２権限としての解錠権限を与えるように設定している。居室ゲート５６には、解錠権限を与えないように設定している。なお、居室ゲート５８、６０は、オリジナル電子鍵情報にも解錠権限が与えられていないので、コピー電子鍵情報に解錠権限を設定することができない。したがって、居室ゲート５８および居室６０は、ゲート欄に記録されていない。すなわち、コピー電子鍵情報の解錠権限は、オリジナル電子鍵情報の解錠権限の範囲内に制限される。
【００４４】
さらに、住居者７０は、それぞれのゲートに対して、解錠できる時間の範囲を設定できる。解錠時間欄に記録された時間は、解錠権限が設定されたゲートを解錠できる時間の範囲を表している。解錠権限が設定されているゲートであっても、解錠時間欄に記録された時間の範囲外である場合には、当該ゲートを解錠できない。なお、解錠時間欄に時間が記録されていないことは、解錠時間が設定されていないことを表している。図７に示した例において、エントランスゲート５０には解錠時間の範囲が設定されていない。このため、当該申請により取得したコピー電子鍵情報は、コピー電子鍵情報の第１権限としての解錠権限によりエントランスゲート５０をいつでも解錠できる。住居者７０は、申請表示画面１４４の権限欄に数字「１」「２」または「３」を、時間欄に解錠時間の範囲を設定して、「コピー電子鍵情報申請」をタップする。これにより、申請表示画面１４４で設定された権限および時間を示す情報が、管理サーバ１２へ送信される。
【００４５】
再び、図３を参照して説明する。ゲスト８０が所有するスマートフォン８２は、ネットワーク接続部１５０と、制御部１５２と、格納部１５４と、送信部１５６とを備える。不揮発性メモリによって構成される格納部１５４には、住居者７０が有する電子鍵情報を複製することによって作成されたコピー電子鍵情報１５８が格納されている。
【００４６】
次に、住居者７０が有するオリジナル電子鍵情報「○○○○○Ａ０００」を用いて複製したコピー電子鍵情報「○○○○○Ａ００１」を、ゲスト８０に供与する場合における電子鍵管理システム１０の動作について説明する。まず、コピー電子鍵情報の登録について説明する。住居者７０は、スマートフォン７２にインストールされた電子鍵管理システム１０に用いられる制御アプリを立ち上げる。住居者７０は、制御アプリの処理に従い、申請表示画面１４４を表示部１３８に表示させる。住居者７０は、例えば、図７に示したように解錠権限を設定する。住居者７０は、「コピー電子鍵情報の申請」をタップする。これにより、スマートフォン７２は、電子鍵申請データ１４２に設定された解錠権限情報を、ネットワーク接続部１３０を介して管理サーバ１２送信する。
【００４７】
管理サーバ１２の制御部１０２は、解錠権限情報を取得すると、解錠権限情報に含まれる電子鍵情報「○○○○○Ａ０００」と、電子鍵データベース１１０とを参照して、コピー電子鍵情報を特定する。制御部１０２は、解錠権限情報に含まれる電子鍵情報「○○○○○Ａ０００」を参照して、オリジナル電子鍵情報を特定する。次に制御部１０２は、属性部「０００」が小さい値になるようなコピー電子鍵情報を定める。例えば、電子鍵データベース１１０に電子鍵情報として「○○○○○Ａ０００」のみが記録されている場合には、コピー電子鍵情報を「○○○○○Ａ００１」に特定する。制御部１０２は、特定したコピー電子鍵情報を電子鍵データベース１１０に記録するとともに、同列に解錠権限情報を記録する。なお、コピー電子鍵情報を属性部「Ａ０００」の「０００」が小さい値になるように特定する方法はあくまで一例であって、「０００」が大きい値を取るように設定してもよく、予め定められた他の方法に従ってコピー電子鍵情報を定めてもよい。
【００４８】
制御部１０２は、特定したコピー電子鍵情報を、ネットワーク接続部１０８を介して、スマートフォン７２へ送信する。住居者７０とゲストは知人であるので、住居者７０のスマートフォン７２にはゲスト８０のスマートフォン８２のアドレスが登録されている。住居者７０は、スマートフォン８２のアドレスを読み出して、取得したコピー電子鍵情報を、ネットワーク接続部１３０を介してスマートフォン８２へ送信する。スマートフォン８２の制御部１５２は、ネットワーク接続部１５０を介してコピー電子鍵情報を取得する。制御部１５２は、取得したコピー電子鍵情報を格納部１５４に記録する。このようにして、管理サーバ１２の電子鍵データベース１１０に登録されたコピー電子鍵情報は、ゲスト８０が所持するスマートフォン８２の格納部１５４に記録される。なお、住居者７０のスマートフォン７２にゲスト８０のスマートフォン８２のアドレスが登録されていない場合には、もちろん文字入力等によりスマートフォン８２のアドレスを指定してもよい。いずれにしても、コピー電子鍵情報は、オリジナル電子鍵情報が格納されたスマートフォン７２からゲスト８０のスマートフォン８２へ送信される。
【００４９】
次に、ゲートの解錠動作について説明する。ゲスト８０は、スマートフォン８２にインストールされた電子鍵管理システム１０に用いられる制御アプリを立ち上げる。ゲスト８０は、ゲート１４の入力装置１８にスマートフォン８２を接近させる。スマートフォン８２は、制御アプリの処理に従い、例えば、Ｂｌｕｅｔｏｏｔｈ（登録商標）の近距離無線通信規格に準拠して、コピー電子鍵情報をゲート１４の送受信部１２４に送信する。ゲート１４の送受信部１２４は、スマートフォン８２からコピー電子鍵情報を取得すると、ゲート１４のゲート番号信号とともに、当該コピー電子鍵情報を管理サーバ１２の送受信部１０６へ送信する。
【００５０】
管理サーバ１２の制御部１０２は、送受信部１０６からコピー電子鍵情報と、ゲート１４のゲート番号信号を取得する。さらに制御部１０２は、制御部が備える内部クロックからコピー電子鍵情報等を取得した時間を取得する。
【００５１】
制御部１０２は、電子鍵データベース１１０を参照して、取得したコピー電子鍵情報が記録されているか判断する。制御部１０２は、取得したコピー電子鍵情報が電子鍵データベース１１０に記録されていると判断した場合、制御部１０２は、コピー電子鍵情報の列であって、取得したゲート番号の行に記録されている記号と時間を読み出す。一方、取得したコピー電子鍵情報が記録されていないと判断した場合は、取得したコピー電子鍵情報、ゲート番号信号および時間を消去する。
【００５２】
制御部１０２は、読み出した時間が、コピー電子鍵情報を取得した時間を含む場合に、記録されている記号を確認する。制御部１０２は、読み出した数字が「０」であった場合、ゲート１４に解錠信号を送信しないで、取得したコピー電子鍵情報、ゲート番号信号および時間を消去する。制御部１０２は、読み出した数字が「１」もしくは「２」であった場合、解錠信号をゲート１４へ送信する。
【００５３】
一方、制御部１０２は、読み出した時間が、コピー電子鍵情報を取得した時間に含まれない場合、制御部１０２は、電子鍵データベース１１０に記録されている数字を読み出すことなく取得したコピー電子鍵情報、ゲート番号および時間を消去する。
【００５４】
制御部１０２は、読み出した数字が「２」であった場合、コピー電子鍵情報の使用が第２権限の使用であると判断し、住居者データベース１１４を参照して、コピー電子鍵情報の属性部が「０００」であるオリジナル電子鍵情報に対応したメールアドレスを読み出す。制御部１０２は、当該メールアドレスを使用して、住居者７０に第２権限を使用してゲート１４が解錠されたことを通知する。
【００５５】
また、制御部１０２は、解除信号をゲート１４へ送信すると、履歴データベース１１２に、コピー電子鍵情報と、ゲート番号と、時間とを記録する。制御部１０２は、その後、取得したコピー電子鍵情報、ゲート番号および時間を消去する。
【００５６】
ゲート１４の送受信部１２４は、解錠信号を受信すると、当該信号を駆動部１２０に送信する。駆動部１２０は、解除信号を取得すると、ロック部１２２を駆動して解錠する。具体的には、例えば、ロック部１２２は、ドアモータと当該ドアモータの回転によって突出／退避するデッドボルトによって構成されており、駆動部１２０は、ドアモータに通電してデッドボルトを退避させることにより解錠する。これにより、ゲスト８０は、ゲート１４を通過できる。
【００５７】
次に、住居者７０の閲覧要求に応じて、ゲスト８０の利用履歴を住居者７０のスマートフォン７２に送信する動作について説明する。住居者７０は、電子鍵管理システム１０に用いられる制御アプリの処理に従い、ゲスト８０の利用履歴を閲覧する閲覧要求を管理サーバ１２に送信する。管理サーバ１２の制御部１０２は、閲覧要求を取得すると、履歴データベース１１２を参照して、ゲスト８０が有するコピー電子鍵情報に対応した履歴情報を抽出する。制御部１０２は、ネットワーク接続部１０８を介して、抽出した履歴情報をスマートフォン７２に送信する。
【００５８】
スマートフォン７２の制御部１３２は、当該履歴情報を取得して、表示部１３８に表示させる。図８は、履歴表示画面１４６の一例を示す。図８は、住居者７０が２０１５年３月２４日におけるコピー電子鍵情報「○○○○○Ａ００１」の解錠履歴の閲覧要求をした場合に表示される履歴表示画面１４６の例を示している。
【００５９】
履歴表示画面１４６には、コピー電子鍵情報と、ゲート番号と、時間とが表示される。コピー電子鍵情報欄には、住居者７０が閲覧要求したゲストのコピー電子鍵情報が表示される。ゲート番号は、当該ゲート番号のゲートが解錠された時間と一組みとなり、上段から時系列で表示される。なお、図８に示した例において、コピー電子鍵情報「○○○○○Ａ００１」を有するゲストは、２０１５年３月２４日の１０：０１：０８にエントランスゲート５０から進入して談話室３４である区域に同日１０：０３：１５に入場したことが示されている。そして、同日１２：０９：４８に談話室ゲート５２を退出し、さらにエントランスゲート５０を通って１２：１０：４９に退出したことが示されている。すなわち、当該履歴情報は、コピー電子鍵情報であるコピー電子鍵情報を利用して進入した区域、進入時刻および退出時刻を含む。
【００６０】
図９は、管理サーバ１２が履歴情報を記録する処理と、記録された履歴情報を送信する処理を説明するフロー図である。当該処理は、管理サーバ１２が立ち上げられ、電子鍵管理システム１０に利用される制御アプリが立ち上げられた時点から開始する。なお、管理サーバ１２の電子鍵データベース１１０には、図４で示したコピー電子鍵情報「○○○○○Ａ００１」が予め登録されているとして、当該処理を説明する。
【００６１】
管理サーバ１２の制御部１０２は、ステップＳ１０２において、住居者７０から閲覧要求が有るかを判断する。制御部１０２は、スマートフォン７２から履歴の閲覧要求を受信した場合に、住居者７０から履歴情報の閲覧要求が有ると判断し（ステップＳ１０２：ＹＥＳ）、処理をステップＳ１１６へ進める。一方、閲覧要求を受信していない場合に、住居者７０から履歴情報の閲覧要求が無いと判断し（ステップＳ１０２：ＮＯ）、処理をステップＳ１０４へ進める。
【００６２】
制御部１０２は、ステップＳ１０４において、ゲート１４からオリジナル電子鍵情報およびコピー電子鍵情報の何れか一方を受信したかを判断する。制御部１０２は、ゲート１４からオリジナル電子鍵情報およびコピー電子鍵情報の何れか一方を取得した場合に（ステップＳ１０４：ＹＥＳ）、処理をステップＳ１０６に進める。一方、ゲート１４から電子鍵情報を取得していない場合に（ステップＳ１０４：ＮＯ）、処理をステップＳ１０２に戻し、再び、住居者７０から閲覧要求が有るかを判断する。ステップＳ１０６において制御部１０２がＹＥＳと判断した場合に、制御部１０２は、ゲート番号信号とこれら情報を取得した時間も併せて取得する。
【００６３】
制御部１０２は、ステップＳ１０６において、取得したオリジナル電子鍵情報またはコピー電子鍵情報が、電子鍵データベース１１０を満足するかを判断する。例えば、制御部１０２が電子鍵情報として「○○○○○Ａ００１」と、ゲート番号として「５０」と、時間として「２０１５／３／２４  １１：００：００」を取得したとする。この場合に、当該時間は、電子鍵データベース１１０の時間欄に記載されている時間の範囲に含まれ、且つ、ゲート番号に対応した権限の数字が「１」であるので、制御部１０２は、電子鍵データベース１１０を満足すると判断して（Ｓ１０６：ＹＥＳ）、処理をステップＳ１０８へ進める。制御部１０２は、情報を取得した時間が時間欄に記載されている時間の範囲に含まれ、且つ、ゲート番号に対応した権限の数字が「２」である場合も電子鍵データベース１１０を満足すると判断して（Ｓ１０６：ＹＥＳ）、処理をステップＳ１０８へ進める。
【００６４】
一方、権限の数字が「０」である場合、または情報を取得した時間が時間欄に記載されている時間の範囲に含まれない場合に、制御部１０２は、電子鍵データベース１１０を満足しないと判断して（Ｓ１０６：ＮＯ）、処理をステップＳ１０２に戻し、住居者７０から閲覧要求が有るかを判断する。
【００６５】
ステップＳ１０８において、ステップＳ１０６における権限の数字が「１」であった場合に、制御部１０２は、第１権限の使用と判断し（ステップＳ１０６：ＹＥＳ）、処理をステップＳ１１２に進める。一方、ステップＳ１０６における権限の数字が「２」であった場合に、制御部１０２は、第２権限の使用と判断し（ステップＳ１０６：ＮＯ）、処理をステップＳ１１０に進める。
【００６６】
制御部１０２は、ステップＳ１１０において、住居者データベース１１４を参照して、コピー電子鍵情報を複製したオリジナル電子鍵情報を有する住居者のメールアドレスを読み出す。制御部１０２は、住居者７０に第２権限の範囲の利用がされたことを、当該メールアドレス先に通知する。
【００６７】
制御部１０２は、ステップＳ１１２において、送受信部１０６からゲート１４へ解除信号を送信する。これにより、ゲート１４は解錠される。
【００６８】
制御部１０２は、ステップＳ１１４において、履歴データベース１１２に最下行を追加する。制御部１０２は、追加した行に、取得した電子鍵情報と、ゲート番号と、時間とを記録する。その後、制御部１０２は、処理をステップＳ１０２に戻し、住居者７０から閲覧要求が有るかを判断する。
【００６９】
制御部１０２は、ステップＳ１１６において、閲覧請求のあったコピー電子鍵情報を特定する。閲覧請求は、対象となるコピー電子鍵情報を記して請求を行われるので、制御部１０２は、閲覧請求情報を参照することで閲覧の対象となるコピー電子鍵情報を容易に特定できる。
【００７０】
制御部１０２は、ステップＳ１１８において、特定したコピー電子鍵情報の履歴情報を、履歴データベース１１２から抽出する。制御部１０２は、履歴データベース１１２の電子鍵情報欄を参照して、特定したコピー電子鍵情報の履歴情報を抽出する。なお、閲覧請求を、日にちを特定して行った場合においては、制御部１０２は、特定したコピー電子鍵情報の履歴情報であって、特定された日にちの履歴情報を抽出する。制御部１０２は、ステップＳ１２０において、抽出した履歴情報を、ネットワーク接続部１０８を介してスマートフォン７２へ送信する。
【００７１】
ステップＳ１２２へ進み、制御部１０２は、管理者からプログラムを終了させる指示があったかを確認する。制御部１０２は、終了指示がなかった場合にステップＳ１０２へ戻り、あった場合に一連の処理を終了する。
【００７２】
以上説明したように、本実施形態に係る電子鍵管理システム１０において、住居者７０は、住居者７０のオリジナル電子鍵情報を用いて複製したコピー電子鍵情報をゲストがどのように使用したかを容易に把握できる。
【００７３】
なお、以上の実施形態においては、電子鍵データベース１１０、履歴データベース１１２、および住居者データベース１１４を別々のデータベースとして構築した。しかし、データベースの構築の仕方はこれに限らず、これらのうち少なくとも２つを一体的に構築してもよいし、他の追加される機能に合わせて組み替えてもよい。
【００７４】
また、以上の実施形態において、コピー電子鍵情報は、管理サーバ１２で作成された後、住居者７０のスマートフォン７２を経て、ゲスト８０のスマートフォン８２に送信される例を示した。しかし、コピー電子鍵情報を管理サーバ１２から直接ゲスト８０のスマートフォン８２に送信してもよい。この場合、コピー電子鍵情報の申請に用いる電子鍵申請データ１４２には、メールアドレス等のゲストの連絡先が含まれる。
【００７５】
また、以上の実施形態において、コピー電子鍵情報における第１権限の範囲の使用については、ゲート１４の解錠を行い、第２権限の範囲の使用においては、ゲート１４の解錠とともに、閲覧要求の有無に関わらず、住居者へ第２権限の範囲の使用がなされたことを通知する例を示した。しかしながら、コピー電子鍵情報における第１権限の範囲の使用については、履歴データベース１１２に記録しないが、第２権限の範囲の使用については、履歴情報に記録して格納するとしてもよい。この場合に、第２権限の範囲の使用を、個人設備に近いゲートの解錠に設定しておくことで、個人設備に近いゲートの解錠の使用を把握しながら、履歴情報に記録される情報の数を減らすことができる。
【００７６】
また、以上の実施例において、第１権限の範囲の使用および第２権限の範囲の使用の区別をゲート単位で行う例を示した。しかしながら、これに限られず、時間単位で第１権限の範囲の使用および第２権限の範囲の使用の区別を定めてもよい。例えば、第１権限の範囲を招待したい時間に設定し、その時間を超えた時間に第２権限の範囲を設定する。そして、第２権限の範囲の使用は、住居者に通知するように設定しておく。これにより、当初予定していた時間を過ぎたとしても、ゲストは、ゲートの解錠を行い集合住宅から退出することができ、住居者は、当初の予定を過ぎてコピー電子鍵情報が使用されたことを把握できる。さらに、当該電子鍵管理システム１０を高層ビルに適用する場合においては、エレベーター等の使用についてもコピー電子鍵情報の制限の対象としてもよく、第１権限および第２権限の範囲を定める対象としてもよい。
【００７７】
また、以上の実施例において、入力装置１８とスマートフォン８２との通信をＢｌｕｅｔｏｏｔｈ（登録商標）の近距離無線通信規格に準拠して行う例を示した。しかしながら、近距離無線通信は、Ｂｌｕｅｔｏｏｔｈ（登録商標）に限られず、ＵＷＢ（Ｕｌｔｒａ  Ｗｉｄｅ  Ｂａｎｄ）、ＺｉｇＢｅｅ（登録商標）、Ｗｉ−Ｆｉ等の近距離無線通信規格に準拠して、入力装置１８とスマートフォン８２とが通信してもよく、ＭＩＦＡＲＥまたはＮＦＣにより通信してもよい。
【００７８】
また、以上の実施形態においては、携帯無線端末装置としてスマートフォン７２、８２を用いた例を示した。しかしながら、これに限られず、スマートフォン７２、８２に代えて、制御アプリがインストール可能なＰＤＡ、タブレット型ＰＣ等を用いてもよい。
【００７９】
さらに他の実施形態について説明する。図１０は、他の電子鍵管理システム２００を示す概略図である。図１０において、図３と同じ要素については同じ参照番号を付して重複する説明を省略する。図１０は、ゲスト８０が所持するスマートフォン２０２の格納部２０４に、履歴データベース２０６を有する点と、送受信部２０８を備える点において、図３と異なる。
【００８０】
図１０に示した例において、スマートフォン２０２は、送受信部２０８からゲート１４の送受信部１２４へ、コピー電子鍵情報を送信する。送信したコピー電子鍵情報により、管理サーバ１２からゲート１４へ解錠信号が送信された場合において、管理サーバ１２から、ゲート１４の送受信部１２４を介して、スマートフォン２０２へ履歴情報が送信される。なお、スマートフォン２０２へ送信される履歴情報は、管理サーバ１２における履歴データベース１１２に記録される情報と同じである。スマートフォン２０２へ送信された履歴情報は、制御部１５２により、格納部２０４に格納された履歴データベース２０６に記録される。このように、図１０に示した例においては、ゲスト８０が有するスマートフォン２０２には、スマートフォン２０２に格納されたコピー電子鍵情報を用いて解錠された解錠履歴が記録される。
【００８１】
図１１は、スマートフォン２０２に履歴情報を記録する処理と履歴情報を送信する処理を説明するフロー図である。図１１は、スマートフォン２０２が履歴情報を記録する処理と、記録された履歴情報を送信する処理を説明するフロー図である。当該処理は、スマートフォン２０２において制御アプリが立ち上げられた時点から開始する。なお、管理サーバ１２の電子鍵データベース１１０には、図４で示したコピー電子鍵情報「○○○○○Ａ００１」が予め登録されているとして、当該処理を説明する。
【００８２】
スマートフォン２０２の制御部１５２は、ステップＳ２０２において、住居者７０から閲覧要求が有るかを判断する。制御部１５２は、スマートフォン７２から履歴の閲覧要求を受信した場合に、住居者７０から履歴情報の閲覧要求が有ると判断し（ステップＳ２０２：ＹＥＳ）、処理をステップＳ２０８へ進める。一方、閲覧要求を受信していない場合に、住居者７０から履歴情報の閲覧要求が無いと判断し（ステップＳ２０２：ＮＯ）、処理をステップＳ２０４へ進める。
【００８３】
制御部１５２は、ステップＳ２０４において、ゲート１４から履歴情報を受信したかを判断する。管理サーバ１２からゲート１４へ解錠信号が送信された場合において、管理サーバ１２から、スマートフォン２０２へ履歴情報が送信される。制御部１５２は、当該履歴情報を受信した場合に（ステップＳ２０４：ＹＥＳ）、処理をステップＳ２０６へ進める。一方、制御部１５２は、履歴情報を受信していない場合に（ステップＳ２０４：ＮＯ）、処理をステップＳ２０２に戻して、再び、住居者７０から閲覧要求が有るかを判断する。制御部１５２は、ステップＳ２０６において、受信した履歴情報を履歴データベース２０６に記録して、処理をステップＳ２０２に戻す。
【００８４】
制御部１５２は、ステップＳ２０８において、履歴データベース２０６から履歴情報を抽出する。この場合において、履歴データベース２０６には、コピー電子鍵情報１５８の履歴情報のみが記録されている。したがって、ステップＳ２０８において、制御部１５２は、履歴データベース２０６をそのまま履歴情報として抽出する。制御部１５２は、ステップＳ２１０において、ネットワーク接続部１５０を介してスマートフォン７２へ履歴情報を送信する。
【００８５】
ステップＳ２１２へ進み、制御部１５２は、ゲストから制御アプリを終了させる指示があったかを確認する。制御部１５２は、終了指示がなかった場合にステップＳ２０２へ戻り、あった場合に一連の処理を終了する。なお、ゲストは、制御アプリを終了させると、コピー電子鍵情報を用いてゲート１４を解錠することができない。
【００８６】
以上説明したように、本実施形態に係る電子鍵管理システム２００において、住居者７０は、住居者７０のオリジナル電子鍵情報を用いて複製したコピー電子鍵情報をゲストがどのように使用したかを容易に把握できる。
【００８７】
以上の実施形態では、各ゲートを解錠できる解錠権限について説明したが、各ゲートの施錠権限についても同様である。すなわち、住居者７０が有する電子錠装置を施錠する権限が対応付けられたオリジナル電子鍵情報を用いて、少なくとも権限の一部が対応付けられたコピー電子鍵情報をゲストに供与できる。なお、各ゲートの施錠および解錠の両方を兼ねる権限についても同様である。
【００８８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９０】
１０、２００  電子鍵管理システム、１２  管理サーバ、１４  ゲート、１６  電子錠装置、１８  入力装置、２０  スマートフォン、３０  集合住宅、３２  エントランス、３４  談話室、３６  トランクルーム、３８、４０、４２  居室、４４  通路、４６  管理室、５０  エントランスゲート、５２  談話室ゲート、５４  トランクゲート、５６、５８、６０  居室ゲート、６４  通路ゲート、７０  住居者、７２、８２、２０２  スマートフォン、８０  ゲスト、１０２、１３２、１５２  制御部、９０  インターネット、１０４、１３４、１５４、２０４  格納部、１０６、２０８  送受信部、１０８、１３０、１５０  ネットワーク接続部、１１０  電子鍵データベース、１１２、２０６  履歴データベース、１１４  住居者データベース、１２０  駆動部、１２２  ロック部、１２４  送受信部、１３８  表示部、１４０  オリジナル電子鍵情報、１４２  電子鍵申請データ、１３６、１５６  送信部、１４４  申請表示画面、１４６  履歴表示画面、１５８  コピー電子鍵情報
【図１】
2016191281.tif 000003
【図２】
2016191281.tif 000004
【図３】
2016191281.tif 000005
【図４】
2016191281.tif 000006
【図５】
2016191281.tif 000007
【図６】
2016191281.tif 000008
【図７】
2016191281.tif 000009
【図８】
2016191281.tif 000010
【図９】
2016191281.tif 000011
【図１０】
2016191281.tif 000012
【図１１】
2016191281.tif 000013